(57)【要約】【課題】  一対の挟持片が洗濯物用棒状部材を挟持して該洗濯物用棒状部材に洗濯物を止着する洗濯挟みに関し、使用者の手にかかる負担を軽減した洗濯挟みを提供するとともに、該洗濯挟みを使用する洗濯物用棒状部材と、洗濯挟み用ストッパーと、洗濯物用ハンガーを提供する。【解決手段】  洗濯挟み１は、第一の挟持片１１と、第二の挟持片１２と、回動軸１３と、スプリング１４とからなる。第一の挟持片１１と第二の挟持片１２とは、止着部１１ｅ，１２ｅ側が開閉自在に構成されており、基部１１ａ，１２ａと、頸部１１ｄ，１２ｄを介して連接されている洗濯物用棒状部材を挟持するための挟持部１１ｂ，１２ｂ及び洗濯挟み１を洗濯物用棒状部材に着脱する際に使用者が洗濯物用棒状部材２に対して傾斜させて摺動させる案内部１１ｃ，１２ｃと、洗濯物を止着するための止着部１１ｅ，１２ｅとが設けられている。【選択図】      図１
2016016236.tif 000002
【特許請求の範囲】
【請求項１】
一対の挟持片が洗濯物用棒状部材を挟持して該洗濯物用棒状部材に洗濯物を止着する洗濯挟みであって、第一の挟持片と、第二の挟持片と、回動軸と、スプリングとからなり、該第一の挟持片と該第二の挟持片とは、基部において該回動軸によって連結されていて止着部側が開閉自在に構成されており、該基部から該止着部に向って、該洗濯物用棒状部材を挟持するための挟持部と、該洗濯挟みを該洗濯物用棒状部材に着脱する際に使用者が該洗濯物用棒状部材に対して傾斜させて摺動させる案内部と、洗濯物を止着するための該止着部とをそれぞれに有しており、該挟持部と該案内部とは頸部を介して連接されており、該第一の挟持片又は該第二の挟持片には、該洗濯挟みを該洗濯物用棒状部材に着脱する際に、使用者が該第一の挟持片と該第二の挟持片とを開閉させる操作を行うために把持する把持部が該基部から延設されており、該スプリングは、該第一の挟持片と該第二の挟持片とをその挟持方向に付勢して該止着部を常時閉鎖するための復元力を付与するための部材であって、その一端が該第一の挟持片に取り付けられているとともに、その他端が該第二の挟持片に取り付けられていることを特徴とする洗濯挟み。
【請求項２】
請求項１に記載した洗濯挟みを複数取り付けるための洗濯物用棒状部材であって、棒状本体の長手方向に沿って上面には、前記洗濯挟み内に挟み込まれる台状の挟込凸部と、前記洗濯挟みの取付けを阻害するための台状の阻害凸部と、前記洗濯挟みを構成する挟持部を嵌合するための谷状の嵌合凹部が該挟込凸部と該阻害凸部との間に形成されており、該嵌合凹部の側面が上方に向かって拡がるように傾斜面を形成していることを特徴とする洗濯物用棒状部材。
【請求項３】
請求項１に記載した洗濯挟みを洗濯物用棒状部材に係止させるために用いる洗濯挟み用ストッパーであって、フック部と、回動部と、把持部と、スプリングとからなり、該フック部は、嵌合部と開口部とを有しており、該洗濯物用棒状部材を挟持するための部位であって、該回動部から二股に延設されており、該回動部は、前記洗濯挟みにおける回動軸の端部に取り付けて、該回動軸を軸心として該洗濯挟み用ストッパーを回動させるための部位であり、該把持部は、前記洗濯挟み及び該洗濯挟み用ストッパーを該洗濯物用棒状部材に着脱する際に使用者が把持するための部位であって、該回動部から延設されており、該スプリングは該把持部と前記洗濯挟みにおける把持部とを反対方向に付勢して該洗濯物用棒状部材を該嵌合部に嵌合させるための復元力を付与するための部材であって、その一端が該把持部に取り付けられているとともに、その他端が前記洗濯挟みにおける把持部に取り付けられていることを特徴とする洗濯挟み用ストッパー。
【請求項４】
請求項１に記載した洗濯挟み及び請求項３に記載した洗濯挟み用ストッパーを横棹部材に設置する洗濯物用ハンガーであって、ストッパー解除体が備えられており、該ストッパー解除体は、連結棒と、腕部とからなり、該連結棒は、前記洗濯挟み用ストッパーに係る把持部と前記洗濯挟みに係る把持部とを連結するひも部材を引き上げるための部材であって、該ひも部材の下部を挿通しており、該腕部は、連結棒を引き上げるための部材であって、該洗濯物用ハンガーを構成するハンガー枠体に回動可能に軸支されていることを特徴とする洗濯物用ハンガー。
【請求項５】
請求項４に記載した洗濯物用ハンガーであって、前記洗濯物用ハンガーを洗濯物用棒状部材に吊り下げるための吊下部材と前記ハンガー枠体とを連結するための長尺部材である連結部材が複数備えられており、その内の少なくとも一つの連結部材は、長尺部材の該吊下部材側の一端にフックが取り付けられており、該吊下部材に対して着脱自在に構成されていることを特徴とする洗濯物用ハンガー。
【発明の詳細な説明】
【技術分野】
【０００１】
本発明は、洗濯挟みに関し、特に、一対の挟持片が物干し竿又は洗濯物用ハンガーにおける横竿部材等の洗濯物用棒状部材を挟持して該洗濯物用棒状部材に洗濯物を止着する洗濯挟みに関する。また、本発明は、該洗濯挟みを係止させるための洗濯物用棒状部材、及び洗濯物用棒状部材に該洗濯挟みをより強固に係止させるための洗濯挟み用ストッパーに関するとともに、該洗濯挟み及び該洗濯挟み用ストッパーを複数備えた洗濯物用ハンガーに関する。
【背景技術】
【０００２】
従来、洗濯物用棒状部材を挟持して該洗濯物用棒状部材に洗濯物を止着する洗濯挟みが提案されているところであり、該洗濯物用棒状部材を挟持するための複数の挟持部を備えた洗濯挟みが提案されている。例えば、物干し竿の外径に合わせた比較的大きな弧状の竿挟持部と物干しロープの外径に合わせた比較的小さな弧状のロープ挟持部とを備える洗濯挟み（例えば、特許文献１参照。）、物干し竿に密に嵌合する小径環状部と該物干し竿に摺動自在に遊嵌する大径環状部とを備えるピンチの吊下げ具（例えば、特許文献２参照。）、及び物干し竿の外径よりも小さい内径を有する第一の竿挿通部と物干し竿の外径よりも大きい内径を有し物干し竿を遊動可能な状態で挿通する第二の竿挿通部とを有する竿ピンチ（例えば、特許文献３参照）等が提案されている。
【０００３】
また、複数の洗濯挟みを横棹部材に備えた洗濯物用ハンガーも提案されているところである。このような洗濯物用ハンガーにあっては、例えば、横棹部材に山部と谷部とを交互に形成した洗濯物用ハンガー（例えば、特許文献４参照）、及び孔部を設けた洗濯挟みに連結紐を挿通させて連結した洗濯挟み一斉開放式ハンガー（例えば、特許文献５参照）等が提案されている。
【先行技術文献】
【特許文献】
【０００４】
【特許文献１】実開昭５６−１６２１９２号公報
【特許文献２】実開昭６２−２０４５８９号公報
【特許文献３】特開２０１１−２５０９６８号公報
【特許文献４】実開平６−７５３８８号公報
【特許文献５】特開２０１３−１４１５９４号公報
【発明の概要】
【発明が解決しようとする課題】
【０００５】
まず、上記の従来技術に係る洗濯物用棒状部材を挟持して該洗濯物用棒状部材に洗濯物を止着する洗濯挟みは、使用者が該洗濯挟みを構成する一対の挟持片の一端に設けられている把持部を指で摘んで洗濯物を止着する該挟持片の他端を開放することによって、該洗濯物用棒状部材に対する該洗濯挟みの着脱を行うものである。そうすると、該洗濯挟みを使用するに際して使用者は握力や腕力と比較すると非力な指で摘む摘力を利用しなければならないため、該洗濯挟みは使用者の手に負担がかかるものとなっており、特に、老人、子供、及び手に障害を有する者等の摘力の弱い者の手には負担がかかるものとなっていた。
【０００６】
そこで、本発明が解決しようとする第一の課題は、一対の挟持片が洗濯物用棒状部材を挟持して該洗濯物用棒状部材に洗濯物を止着する洗濯挟みに関し、使用者が該洗濯物用棒状部材に対する該洗濯挟みの着脱を行う際に、指で摘む摘力と比較すると強力な握力や腕力を利用できるようにして、使用者の手にかかる負担を軽減した洗濯挟みを提供することにある。
【０００７】
次に、本発明に係る洗濯挟みは、これを単独で用いることももちろん可能であるが、これを洗濯物用棒状部材に複数取り付けて使用することも可能である。そうすると、複数の該洗濯挟みを該洗濯物用棒状部材に挟持させた際に、強風が吹く等すると該洗濯物用棒状部材の長手方向に滑ってしまうことによって、該洗濯挟みを使用して該洗濯物用棒状部材に止着していた洗濯物が風下に吹き寄せられる等してしまい、該洗濯物について乾燥し難くなったり皺が生じたりしてしまう。同時に、該洗濯挟みが該洗濯物用棒状部材において相互に近接する状態になると、使用者が該洗濯挟みを取り外すことが困難になる。
【０００８】
そこで、本発明が解決しようとする第二の課題は、本発明に係る洗濯挟みについて、該洗濯挟みが挟持している洗濯物用棒状部材の長手方向に滑らないようにするとともに、該洗濯物用棒状部材において一定の間隔を保つことができる洗濯物用棒状部材を提供することにある。
【０００９】
更に、上記の従来技術に係る洗濯挟みは、洗濯物用棒状部材を挟持している際に、使用者が何かのはずみで手を触れてしまう等して、使用者の意図することなく洗濯物を止着している止着部が開放されてしまうことによって、洗濯物が落下してしまうことがあった。
【００１０】
そこで、本発明が解決しようとする第三の課題は、本発明に係る洗濯挟みについて、洗濯物用棒状部材を挟持した際に、使用者の意図することなく止着部が開放されてしまうことを防止する洗濯挟み用ストッパーを提供することにある。
【００１１】
最後に、本発明に係る一対の洗濯挟み及び洗濯挟み用ストッパーは、これを単独で用いることももちろん可能であるが、これを洗濯物用ハンガーに複数取り付けて提供することも可能である。このような洗濯物用ハンガーを提供するに際しては、使用者が本発明に係る洗濯挟み用ストッパーを逐一操作して、該洗濯挟みに対するロック状態を逐一解除して、該洗濯挟みの止着部を逐一開放していかなければならないものとすれば、使用者にとって極めて煩雑である。
【００１２】
そこで、本発明が解決しようとする第四の課題は、本発明に係る洗濯挟み及び洗濯挟み用ストッパーを複数備えた洗濯物用ハンガーに関し、使用者が該洗濯挟み用ストッパーによる該洗濯挟みに対するロック状態を一斉に解除するとともに、該洗濯挟みの止着部を一斉に開放することができる手段を備えた洗濯物用ハンガーを提供することにある。
【課題を解決するための手段】
【００１３】
本発明は、上記の各課題を解決するために提案されたものであり、以下の構成を有するものである。以下では、本発明の構成を理解することを補助するために、本願に添付した図面に表示した番号及び符号をあわせて記載する。
【００１４】
本発明の第一の課題を解決するため、請求項１に記載した洗濯挟み（１）は、一対の挟持片（１１，１２）が洗濯物用棒状部材（Ｘ）を挟持して洗濯物用棒状部材（Ｘ）に洗濯物を止着する洗濯挟みであって、第一の挟持片（１１）と、第二の挟持片（１２）と、回動軸（１３）と、スプリング（１４）とからなる。第一の挟持片（１１）と第二の挟持片（１２）とは、基部（１１ａ，１２ａ）において回動軸（１３）によって連結されていて止着部（１１ｅ，１２ｅ）側が開閉自在に構成されており、基部（１１ａ，１２ａ）から止着部（１１ｅ，１２ｅ）に向って、洗濯物用棒状部材（Ｘ）を挟持するための挟持部（１１ｂ，１２ｂ）と、洗濯挟み（１）を洗濯物用棒状部材（Ｘ）に着脱する際に使用者が洗濯物用棒状部材（Ｘ）に対して傾斜させて摺動させる案内部（１１ｃ，１２ｃ）と、洗濯物を止着するための止着部（１１ｅ，１２ｅ）とをそれぞれに有する。挟持部（１１ｂ，１２ｂ）と案内部（１１ｃ，１２ｃ）とは、頸部（１１ｄ，１２ｄ）を介して連接されている。第一の挟持片（１１）又は第二の挟持片（１２）には、洗濯挟み（１）を洗濯物用棒状部材（Ｘ）に着脱する際に、使用者が第一の挟持片（１１）と第二の挟持片（１２）とを開閉させる操作を行うために把持する把持部（１１ｈ）が基部（１１ａ）から延設されている。スプリング（１４）は、第一の挟持片（１１）と第二の挟持片（１２）とをその挟持方向に付勢して止着部（１１ｅ，１２ｅ）を常時閉鎖するための復元力を付与するための部材であって、その一端が第一の挟持片（１１）に取り付けられているとともに、その他端が第二の挟持片（１２）に取り付けられている。
【００１５】
本発明の第二の課題を解決するため、請求項２に記載した洗濯物用棒状部材（２）は、請求項１に記載した洗濯挟み（１）を複数取り付けるための洗濯物用棒状部材であって、棒状本体（２１）の長手方向に沿って上面には、洗濯挟み（１）内に挟み込まれる台状の挟込凸部（２１）と、洗濯挟み（１）の取付けを阻害するための台状の阻害凸部（２２）と、洗濯挟み（１）を構成する挟持部（１１ｂ，１２ｂ）を嵌合するための谷状の嵌合凹部（２４）が挟込凸部（２２）と阻害凸部（２３）との間に形成されており、嵌合凹部（２４）の側面が上方に向かって拡がるように傾斜面を形成している。
【００１６】
本発明の第三の課題を解決するため、請求項３に記載した洗濯挟み用ストッパー（３）は、請求項１に記載した洗濯挟み（１）を洗濯物用棒状部材（Ｘ）に係止させるために用いる洗濯挟み用ストッパーであって、フック部（３１）と、回動部（３２）と、把持部（３３）と、スプリング（３４）とからなる。フック部（３１）は、嵌合部（３１ａ）と開口部（３１ｂ）とを有しており、洗濯物用棒状部材（Ｘ）を挟持するための部位であって、回動部（３２）から二股に延設されている。回動部（３２）は、洗濯挟み（１）における回動軸（１３）の端部に取り付けて、回動軸（１３）を軸心として洗濯挟み用ストッパー（３）を回動させるための部位である。把持部（３３）は、洗濯挟み（１）及び洗濯挟み用ストッパー（３）を洗濯物用棒状部材（Ｘ）に着脱する際に使用者が把持するための部位であって、回動部（３２）から延設されている。スプリング（３４）は把持部（３３）と洗濯挟み（１）における把持部（１１ｈ）とを反対方向に付勢して洗濯物用棒状部材（Ｘ）を嵌合部（３１ａ）に嵌合させるための復元力を付与するための部材であって、その一端が把持部（３３）に取り付けられているとともに、その他端が洗濯挟み（１）における把持部（１１ｈ）に取り付けられている。
【００１７】
本発明の第四の課題を解決するため、請求項４に記載した洗濯物用ハンガー（４）は、請求項１に記載した洗濯挟み（１）及び請求項３に記載した洗濯挟み用ストッパー（３）を横棹部材（４１）に設置する洗濯物用ハンガーであって、ストッパー解除体（４３）が備えられている。ストッパー解除体（４３）は、連結棒（４３ａ）と、腕部（４３ｂ）とからなる。連結棒（４３ａ）は、洗濯挟み用ストッパー（３）に係る把持部（３３）と洗濯挟み（１）に係る把持部（１１ｈ）とを連結するひも部材（３５）を引き上げるための部材であって、ひも部材（３５）の下部を挿通している。腕部（４３ｂ）は、連結棒（４３ａ）を引き上げるための部材であって、洗濯物用ハンガー（１）を構成するハンガー枠体（４２）に回動可能に軸支されている。
【００１８】
本発明の第四の課題を解決するため、請求項５に記載した洗濯物用ハンガー（４）は、請求項４に記載した洗濯物用ハンガーであって、洗濯物用ハンガー（４）を洗濯物用棒状部材（Ｘ）に吊り下げるための吊下部材（４４）とハンガー枠体（４２）とを連結するための長尺部材である連結部材（４５）が複数備えられており、その内の少なくとも一つの連結部材（４５）は、長尺部材（４５ａ）の吊下部材（４４）側の一端にフック（４５ｂ）が取り付けられており、吊下部材（４４）に対して着脱自在に構成されている。
【発明の効果】
【００１９】
まず、本発明に係る請求項１に記載した洗濯挟み（１）は、上記の通りの構成であるから、以下のような効果を奏することができる。
【００２０】
即ち、洗濯挟み（１）は、上記のように、挟持部（１１ｂ，１２ｂ）が棒状部材（Ｘ）を挟持するとともに、スプリング（１４） が第一の挟持片（１１）と第二の挟持片（１２）とをその挟持方向に付勢していることで止着部（１１ｅ，１２ｅ）を閉鎖することによって第一の挟持片（１１）と第二の挟持片（１２）とが洗濯物用棒状部材（Ｘ）を挟持して洗濯物用棒状部材（Ｘ）に洗濯物を止着している。
【００２１】
また、洗濯挟み（１）は、上記のように、使用者が把持部（１１ｈ）を手で掴んでその握力ないし腕力を利用して、止着部（１１ｅ，１２ｅ）を開放させながら、洗濯挟み（１）を洗濯物用棒状部材（Ｘ）に対して傾斜させ、案内部（１１ｃ，１２ｃ）に滑り込ませるように洗濯物用棒状部材（Ｘ）に沿って摺動させることによって、洗濯挟み（１）を洗濯物用棒状部材（Ｘ）に着脱することができる。
【００２２】
従って、請求項１に記載した洗濯挟みは、一対の挟持片が洗濯物用棒状部材を挟持して該洗濯物用棒状部材に洗濯物を止着する洗濯挟みに関し、使用者が該洗濯物用棒状部材に対する該洗濯挟みの着脱を行う際に、指で摘む摘力と比較すると強力な握力や腕力を利用できるようにして、使用者の手にかかる負担を軽減した洗濯挟みを提供するという本発明の第一の課題を解決することができる。
【００２３】
次に、本発明に係る請求項２に記載した洗濯物用棒状部材（２）は、上記の通りの構成であるから、以下のような効果を奏することができる。
【００２４】
即ち、洗濯物用棒状部材（２）は、洗濯挟み（１）内に挟込凸部（２２）を挟み込んで、洗濯挟み（１）を構成する挟持部（１１ｂ，１２ｂ）を嵌合凹部（２４）に嵌合させ棒状本体（２１）を挟持させることによって、洗濯挟み（１）が洗濯物用棒状部材（２）の長手方向に滑らないように、洗濯挟み（１）を洗濯物用棒状部材（２）に取り付けることができる。また、阻害凸部（２３）では挟持部（１１ｂ，１２ｂ）を棒状本体（２１）に挟持させることができず、洗濯挟み（１）を取り付けることができないため、複数の洗濯挟み（１）に一定の間隔を保たせながら、洗濯挟み（１）を洗濯物用棒状部材（２）に取り付けることができる。
【００２５】
従って、請求項２に記載した洗濯物用棒状部材は、本発明に係る洗濯挟みについて、該洗濯挟みが挟持している該洗濯物用棒状部材の長手方向に滑らないようにするとともに、該洗濯物用棒状部材において一定の間隔を保つことができる洗濯物用棒状部材を提供するという本発明の第二の課題を解決することができる。
【００２６】
次に、本発明に係る請求項３に記載した洗濯挟み用ストッパー（３）は、上記の通りの構成であるから、以下のような効果を奏することができる。
【００２７】
即ち、洗濯挟み用ストッパー（３）は、上記のように、フック部（３１）が洗濯物用棒状部材（Ｘ）を嵌合部（３１ａ）に嵌合させて挟持するとともに、回動部（３２）が洗濯挟み（１）における回動軸（１３）の端部に取り付けられて、スプリング（３４） が把持部（３３）と洗濯挟み（１）における把持部（１１ｈ）とを反対方向に付勢していることで洗濯物用棒状部材（Ｘ）を嵌合部（３１ａ）内に嵌合させることによって、洗濯挟み（１）を洗濯物用棒状部材（Ｘ）に強固に係止している。
【００２８】
また、洗濯挟み用ストッパー（３）は、上記のように、使用者が把持部（３３）と洗濯挟み（１）における把持部（１１ｈ）とを手で掴んで、洗濯挟み（１）における回動軸（１３）を軸心として洗濯挟み用ストッパー（３）を回動させて、開口部（３１ｂ）から洗濯物用棒状部材（Ｘ）を進入させあるいは脱出させることによって、洗濯挟み用ストッパー（３）を洗濯挟み（１）とともに洗濯物用棒状部材（Ｘ）に着脱することができる。
【００２９】
従って、請求項３に記載した洗濯挟み用ストッパーは、本発明に係る洗濯挟みについて、洗濯物用棒状部材を挟持した際に、使用者の意図することなく止着部が開放されてしまうことを防止する洗濯挟み用ストッパーを提供するという本発明の第三の課題を解決することができる。
【００３０】
最後に、本発明に係る請求項４及び５に記載した洗濯物用ハンガー（４）は、上記の通りの構成であるから、以下のような効果を奏することができる。
【００３１】
即ち、請求項４に記載した洗濯物用ハンガー（４）は、ストッパー解除体（４３）を備えているため、使用者が連結棒（４３ａ）を引き上げると、ひも部材（３５）が引き上げられることによって、把持部（３３）の回動に伴って洗濯挟み用ストッパー（３）が回動し、開口部（３１ｂ）から横棹部材（４１）を脱出させることによって、複数の洗濯挟み用ストッパー（３）を横棹部材（４１）から一斉に取り外すことができる。
【００３２】
また、請求項５に記載した洗濯物用ハンガー（４）は、使用者がフック（４５ｂ）を吊下部材（４４）から取り外して、ハンガー枠体（４２）を一方に傾斜させる。そうすると、洗濯挟み（１）が止着している洗濯物の重み等によって横棹部材（４１）に対して傾斜し、頸部（１１ｄ，１２ｄ）を介して案内部（１１ｃ，１２ｃ）内へと横棹部材（４１）が滑り込むようにして摺動することによって、複数の洗濯挟み（１）を横棹部材（４１）から一斉に取り外すことができる。
【００３３】
従って、請求項４及び５に記載した洗濯物用ハンガーは、本発明に係る洗濯挟み及び洗濯挟み用ストッパーを複数備えた洗濯物用ハンガーに関し、使用者が該洗濯挟み用ストッパーによる該洗濯挟みに対するロック状態を一斉に解除するとともに、該洗濯挟みの止着部を一斉に開放することができる手段を備えた洗濯物用ハンガーを提供するという本発明の第四の課題を解決することができる。
【図面の簡単な説明】
【００３４】
【図１】本発明の一実施形態に係る洗濯挟みを示した正面図である。
【図２】本発明の一実施形態に係る洗濯挟みを示した左側面図である。
【図３】本発明の一実施形態に係る洗濯挟みを示した右側面図である。
【図４】本発明の一実施形態に係る洗濯挟みを洗濯物用棒状部材に取り付ける状態についての図１におけるＡ−Ａ線切断部を示した図である。
【図５】本発明の一実施形態に係る洗濯挟みを洗濯物用棒状部材に挟持させた状態についての図１におけるＡ−Ａ線切断部を示した図である。
【図６】本発明の一実施形態に係る洗濯挟みを洗濯物用棒状部材から取り外す状態についての図１におけるＡ−Ａ線切断部を示した図である。
【図７】本発明の一実施形態に係る洗濯挟みについて、案内部及び頸部を正面にのみ設けた洗濯挟みを示した背面図である。
【図８】本発明の一実施形態に係る洗濯物用棒状部材を示した側面図である。
【図９】本発明の一実施形態に係る洗濯挟みを本発明の一実施形態に係る洗濯物用棒状部材に取り付ける状態についての図１におけるＡ−Ａ線切断部を示した図である。
【図１０】本発明の一実施形態に係る洗濯挟みを本発明の一実施形態に係る洗濯物用棒状部材に挟持させた状態についての図１におけるＡ−Ａ線切断部を示した図である。
【図１１】本発明の一実施形態に係る洗濯挟みを本発明の一実施形態に係る洗濯物用棒状部材から取り外す状態について図１におけるＡ−Ａ線切断部を示した図である。
【図１２】本発明の一実施形態に係る洗濯挟み用ストッパーを示した正面図である。
【図１３】本発明の一実施形態に係る洗濯挟み用ストッパーを本発明の一実施形態に係る洗濯挟みに取り付けた状態を示した正面図である。
【図１４】本発明の一実施形態に係る洗濯挟み用ストッパーを本発明の一実施形態に係る洗濯挟みに取り付けた状態を示した平面図である。
【図１５】本発明の一実施形態に係る洗濯挟み用ストッパーを本発明の一実施形態に係る洗濯挟みに取り付けた状態を示した右側面図である。
【図１６】本発明の一実施形態に係る洗濯物用ハンガーを示した正面図である。
【図１７】本発明の一実施形態に係る洗濯物用ハンガーにおけるストッパー解除体を示した正面図である。
【図１８】本発明の一実施形態に係る洗濯物用ハンガーを示した一部拡大平面図である。
【図１９】本発明の一実施形態に係る洗濯物用ハンガーを示した一部拡大正面図である。
【図２０】本発明の一実施形態に係る洗濯物用ハンガーにおいて洗濯挟み用ストッパーを解除する状態を示した一部拡大正面図である。
【発明を実施するための形態】
【００３５】
最初に、本発明の一実施形態に係る洗濯挟みの構造及び使用態様について添付図面に基づいて説明する。まず、本発明の一実施形態に係る洗濯挟みの構造について添付図面に基づいて説明する。
【００３６】
洗濯挟み（１）は、図１から３までに図示するように、一対の挟持片（１１，１２）が洗濯物用棒状部材（Ｘ）を挟持して洗濯物用棒状部材（Ｘ）に洗濯物を止着する洗濯挟みであって、第一の挟持片（１１）と、第二の挟持片（１２）と、回動軸（１３）と、スプリング（１４）とからなる。
【００３７】
第一の挟持片（１１）と第二の挟持片（１２）とは、基部（１１ａ，１２ａ）において円柱状の回動軸（１３）によって連結されており止着部（１１ｅ，１２ｅ）側が開閉自在に構成されている。第一の挟持片（１１）と第二の挟持片（１２）のそれぞれには、基部（１１ａ，１２ａ）から正面視下方に向って、挟持部（１１ｂ，１２ｂ）と、案内部（１１ｃ，１２ｃ）と、止着部（１１ｅ，１２ｅ）とが設けられている。
【００３８】
挟持部（１１ｂ，１２ｂ）と案内部（１１ｃ，１２ｃ）とは、頸部（１１ｄ，１２ｄ）を介して連接されている。挟持部（１１ｂ，１２ｂ）は、洗濯物用棒状部材（Ｘ）を挟持するための切欠き部であり、図では正面視下部を切り欠いた半円形状の切欠き部となっているが、洗濯物用棒状部材（Ｘ）を挟持することができれば、特にその形状は限定されない。案内部（１１ｃ，１２ｃ）は、洗濯挟み（１）を洗濯物用棒状部材（Ｘ）に着脱する際に使用者が洗濯物用棒状部材（Ｘ）に対して傾斜させて摺動させるための切欠き部であり、図では正面視上部を切り欠いた半円形状の切欠き部となっているが、洗濯挟み（１）を洗濯物用棒状部材（Ｘ）に着脱する際に洗濯物用棒状部材（Ｘ）を滑り込ませることができれば、特にその形状は限定されない。止着部（１１ｅ，１２ｅ）は、洗濯物を止着するための部位であって、Ｖ字形の凹凸が複数設けられている。
【００３９】
図１から６では、案内部（１１ｃ，１２ｃ）及び頸部（１１ｄ，１２ｄ）は、洗濯挟み（１）の正面と背面の両面に設けられているが、必ずしもその必要はなく、洗濯挟み（１）の正面又は背面のいずれかにのみ設ければ十分である。その場合、案内部（１１ｃ，１２ｃ）及び頸部（１１ｄ，１２ｄ）を設けない洗濯挟み（１）の背面に設けられる挟持部（１１ｂ，１２ｂ）は、図７に図示するように、洗濯挟み（１）を洗濯物用棒状部材（Ｘ）に対して傾斜させた際に、洗濯挟み（１）の正面に設けられる案内部（１１ｃ，１２ｃ）内に洗濯物用棒状部材（Ｘ）を滑り込ませることができるように、細長の半円形状の切欠き部とするのが好適である。
【００４０】
把持部（１１ｈ）は、洗濯挟み（１）を洗濯物用棒状部材（Ｘ）に着脱する際に、使用者が第一の挟持片（１１）と第二の挟持片（１２）とを開閉させる操作を行うために把持する部位であって、基部（１１ａ）から正面視左斜め上方へと延設されている。図では、把持部（１１ｈ）は、第一の挟持片（１１）側に設けられているが、第二の挟持片（１２）側に設けることももちろん可能である。
【００４１】
スプリング（１４） は、第一の挟持片（１１）と第二の挟持片（１２）とをその挟持方向に付勢して止着部（１１ｅ，１２ｅ）を常時閉鎖するための復元力を付与するための部材であって、略逆Ｕ字形の弾性金属線部材である。スプリング（１４） は、基部（１１ａ，１２ａ）の上部を跨ぐようにして、第一の挟持片（１１）側の端部がスプリング挿通孔（１１ｆ）を挿通してスプリング取付け凹部（１１ｇ）に係止されているとともに、第二の挟持片（１２）側の端部がスプリング挿通孔（１２ｆ）を挿通してスプリング取付け凹部（１２ｇ）に係止されている。
【００４２】
以上が、本発明の一実施形態に係る洗濯挟みの構造についての説明である。次に、本発明の一実施形態に係る洗濯挟みの使用態様について添付図面に基づいて説明する。
【００４３】
使用者は、図４に図示するように、把持部（１１ｈ）を手で掴んでその握力ないし腕力を利用して、止着部（１１ｅ，１２ｅ）を開放させながら、洗濯挟み（１）を洗濯物用棒状部材（Ｘ）に対して傾斜させ、案内部（１１ｃ，１２ｃ）から頸部（１１ｄ，１２ｄ）を介して挟持部（１１ｂ，１２ｂ）内へと洗濯物用棒状部材（Ｘ）を滑り込ませるように、洗濯挟み（１）を洗濯物用棒状部材（Ｘ）に沿って矢印方向に摺動させることによって、洗濯挟み（１）を洗濯物用棒状部材（Ｘ）に取り付けることができる。
【００４４】
洗濯挟み（１）は、図５に図示するように、挟持部（１１ｂ，１２ｂ）が洗濯物用棒状部材（Ｘ）を挟持するとともに、スプリング（１４） が第一の挟持片（１１）と第二の挟持片（１２）とをその挟持方向に付勢していることで止着部（１１ｅ，１２ｅ）を閉鎖することによって、止着部（１１ｅ，１２ｅ）に洗濯物を挟持しながら、第一の挟持片（１１）と第二の挟持片（１２）とが洗濯物用棒状部材（Ｘ）を挟持して洗濯物用棒状部材（Ｘ）に洗濯物を止着している。
【００４５】
使用者は、図６に図示するように、把持部（１１ｈ）を手で掴んでその握力ないし腕力を利用して、止着部（１１ｅ，１２ｅ）を開放させながら、洗濯挟み（１）を洗濯物用棒状部材（Ｘ）に対して傾斜させ、挟持部（１１ｂ，１２ｂ）から頸部（１１ｄ，１２ｄ）を介して案内部（１１ｃ，１２ｃ）へと洗濯物用棒状部材（Ｘ）を滑り込ませるように、洗濯挟み（１）を洗濯物用棒状部材（Ｘ）に沿って矢印方向に摺動させることによって、洗濯挟み（１）を洗濯物用棒状部材（Ｘ）から取り外すことができる。
【００４６】
以上が、本発明の一実施形態に係る洗濯挟みの構造及び使用態様についての説明である。次に、本発明の一実施形態に係る洗濯物用棒状部材の構造及び使用態様について説明する。まず、本発明の一実施形態に係る洗濯物用棒状部材の構造について添付図面に基づいて説明する。
【００４７】
洗濯物用棒状部材（２）は、図８に図示するように、洗濯挟み（１）を複数取り付けるための洗濯物用棒状部材であって、棒状本体（２１）の長手方向に沿って上面に、挟込凸部（２２）と、阻害凸部（２３）と、嵌合凹部（２４）とが設けられている。
【００４８】
棒状本体（２１）は、例えば円柱状の金属製の棒状部材を用いることができるが、特にこれに限定されるものではない。挟込凸部（２２）は洗濯挟み（１）内に挟み込まれる台状の部位であり、阻害凸部（２３）は洗濯挟み（１）の洗濯物用棒状部材（２）への取付けを阻害するための台状の部位であり、挟込凸部（２２）と阻害凸部（２３）とは交互に設けられている。嵌合凹部（２４）は洗濯挟み（１）を構成する挟持部（１１ｂ，１２ｂ）を嵌合するための谷状の部位であり、挟込凸部（２２）と阻害凸部（２３）との間に形成されており、嵌合凹部（２４）の側面は上方に向かって拡がるように傾斜面を形成している。
【００４９】
以上が、本発明の一実施形態に係る洗濯物用棒状部材の構造についての説明である。次に、本発明の一実施形態に係る洗濯物用棒状部材の使用態様について添付図面に基づいて説明する。
【００５０】
使用者は、図９に図示するように、把持部（１１ｈ）を手で掴んでその握力ないし腕力を利用して、止着部（１１ｅ，１２ｅ）を開放させながら、洗濯挟み（１）を洗濯物用棒状部材（２）に対して傾斜させ、案内部（１１ｃ，１２ｃ）から頸部（１１ｄ，１２ｄ）を介して挟持部（１１ｂ，１２ｂ）内へと洗濯物用棒状部材（２）を滑り込ませるように、挟持部（１１ｂ，１２ｂ）を嵌合凹部（２４）に形成された傾斜面上を滑り下ろすようにして洗濯挟み（１）を矢印方向に摺動させることによって、洗濯挟み（１）を洗濯物用棒状部材（２）に取り付けることができる。
【００５１】
そうすると、図１０に図示するように、洗濯物用棒状部材（２）は、洗濯挟み（１）内に挟込凸部（２２）を挟み込んで、洗濯挟み（１）を構成する挟持部（１１ｂ，１２ｂ）を嵌合凹部（２４）に嵌合させ棒状本体（２１）を挟持させることによって、洗濯挟み（１）が洗濯物用棒状部材（２）の長手方向に滑らないように、洗濯挟み（１）を洗濯物用棒状部材（２）に取り付けることができる。また、阻害凸部（２３）では挟持部（１１ｂ，１２ｂ）を棒状本体（２１）に挟持させることができず、洗濯物用棒状部材（２）に洗濯挟み（１）を取り付けることができないため、複数の洗濯挟み（１）に一定の間隔を保たせながら、洗濯挟み（１）を洗濯物用棒状部材（２）に取り付けることができる。
【００５２】
使用者は、図１１に図示するように、把持部（１１ｈ）を手で掴んでその握力ないし腕力を利用して、止着部（１１ｅ，１２ｅ）を開放させながら、洗濯挟み（１）を洗濯物用棒状部材（２）に対して傾斜させ、挟持部（１１ｂ，１２ｂ）から頸部（１１ｄ，１２ｄ）を介して案内部（１１ｃ，１２ｃ）へと洗濯物用棒状部材（２）を滑り込ませるように、挟持部（１１ｂ，１２ｂ）を嵌合凹部（２４）に形成された傾斜面上を滑り上げるようにして洗濯挟み（１）を洗濯物用棒状部材（２）に沿って矢印方向に摺動させることによって、洗濯挟み（１）を洗濯物用棒状部材（２）から取り外すことができる。
【００５３】
以上が、本発明の一実施形態に係る洗濯物用棒状部材の構造及び使用態様についての説明である。次に、本発明の一実施形態に係る洗濯挟み用ストッパーの構造及び使用態様について説明する。まず、本発明の一実施形態に係る洗濯挟み用ストッパーの構造について添付図面に基づいて説明する。
【００５４】
洗濯挟み用ストッパー（３）は、図１２から１５までに図示するように、請求項１に記載した洗濯挟み（１）に用いる洗濯挟み用ストッパーであって、フック部（３１）と、回動部（３２）と、把持部（３３）と、スプリング（３４）とからなる。
【００５５】
フック部（３１）は、回動部（３２）の下部から二股に延設されている正面視腕状の部位であって、平板状の部材であり、嵌合部（３１ａ）と開口部（３１ｂ）とを有している。嵌合部（３１ａ）は、洗濯物用棒状部材（Ｘ）を嵌合させて挟持するための部位である。開口部（３１ｂ）は、洗濯物用棒状部材（Ｘ）を嵌合部（３１ａ）内に出し入れする部位である。
【００５６】
回動部（３２）は、洗濯挟み（１）における回動軸（１３）に取り付けて回動軸（１３）を軸心として洗濯挟み用ストッパー（３）を回動させるための部位であって、回動軸（１３）の端部を嵌合するための嵌合孔（３２ａ）が穿設されている。回動部（３２）は、洗濯挟み（１）を第二の挟持片（１２）側から囲うような平面視コの字形の部材である。
【００５７】
把持部（３３）は、洗濯挟み（１）及び洗濯挟み用ストッパー（３）を洗濯物用棒状部材（Ｘ）に着脱する際に、洗濯挟み（１）に係る把持部（１１ｈ）とともに使用者が把持するための部位であって、回動部（３２）から正面視右斜め上方へと延設されている。
【００５８】
スプリング（３４）は、把持部（３３）と洗濯挟み（１）における把持部（１１ｈ）とを反対方向に付勢して洗濯物用棒状部材（Ｘ）を嵌合部（３１ａ）に嵌合させるための復元力を付与するための部材であって、その一端が把持部（３３）に取り付けられているとともに、その他端が洗濯挟み（１）における把持部（１１ｈ）に取り付けられている。スプリング（３４）には、例えばねじりコイルばねを用いることができる。
【００５９】
以上が、本発明の一実施形態に係る洗濯挟み用ストッパーの構造についての説明である。次に、本発明の一実施形態に係る洗濯挟み用ストッパーの使用態様について添付図面に基づいて説明する。
【００６０】
使用者は、洗濯挟み（１）における回動軸（１３）の端部を嵌合孔（３２ａ）に嵌合させて洗濯挟み用ストッパー（３）を洗濯挟み（１）に取り付けた上で、把持部（３３）と洗濯挟み（１）における把持部（１１ｈ）とを手で掴んで、洗濯挟み（１）における回動軸（１３）を軸心として洗濯挟み用ストッパー（３）を回動させて、開口部（３１ｂ）から嵌合部（３１ａ）内へと洗濯物用棒状部材（Ｘ）を進入させることによって、洗濯挟み用ストッパー（３）を洗濯挟み（１）とともに洗濯物用棒状部材（Ｘ）に取り付けることができる。
【００６１】
洗濯挟み用ストッパー（３）は、上記のようにして洗濯物用棒状部材（Ｘ）に取り付けることによって、フック部（３１）が洗濯物用棒状部材（Ｘ）を嵌合部（３１ａ）に嵌合させて挟持するとともに、回動部（３２）が洗濯挟み（１）における回動軸（１３）の端部に取り付けられて、スプリング（３４） が把持部（３３）と洗濯挟み（１）における把持部（１１ｈ）とを反対方向に付勢していることで、洗濯挟み（１）を洗濯物用棒状部材（Ｘ）に強固に係止している。
【００６２】
使用者は、把持部（３３）と洗濯挟み（１）における把持部（１１ｈ）とを手で掴んで、洗濯挟み（１）における回動軸（１３）を軸心として洗濯挟み用ストッパー（３）を回動させて、開口部（３１ｂ）から洗濯物用棒状部材（Ｘ）を脱出させることによって、洗濯挟み用ストッパー（３）を洗濯挟み（１）とともに洗濯物用棒状部材（Ｘ）から取り外すことができる。
【００６３】
以上が、本発明の一実施形態に係る洗濯挟み用ストッパーの構造及び使用態様についての説明である。最後に、本発明の一実施形態に係る洗濯物用ハンガーの構造及び使用態様について説明する。まず、本発明の一実施形態に係る洗濯物用ハンガーの構造について添付図面に基づいて説明する。
【００６４】
洗濯物用ハンガー（４）は、図１６から２０までに図示するように、複数の洗濯挟み（１）及び洗濯挟み用ストッパー（３）を横棹部材（４１）に取り付ける洗濯物用ハンガーであって、横棹部材（４１）と、ハンガー枠体（４２）と、ストッパー解除体（４３）と、吊下部材（４４）と、連結部材（４５）とからなる。
【００６５】
横棹部材（４１）は、洗濯挟み（１）及び洗濯挟み用ストッパー（３）を設置して洗濯物を止着する部位であって、例えば円柱状の金属製の棒状部材を用いることができるが、特にこれに限定されるものではない。また、本発明に係る洗濯物用棒状部材（２）を横棹部材（４１）として用いることも可能である。横棹部材（４１）は、単数でも複数でも設けることができ、その数は特に限定されない。
【００６６】
ハンガー枠体（４２）は、横棹部材（４１）及びストッパー解除体（４３）を固定するための部材であって、例えば平面視四角形状の枠体を用いることができるが、特にその形状は限定されない。
【００６７】
ストッパー解除体（４３）は、連結棒（４３ａ）と、腕部（４３ｂ）と、連動棒（４３ｃ）とからなる。連結棒（４３ａ）と腕部（４３ｂ）とは、図では個別的に形成されているが、一体的に形成することももちろん可能である。
【００６８】
連結棒（４３ａ）は、洗濯挟み用ストッパー（３）に係る把持部（３３）と洗濯挟み（１）に係る把持部（１１ｈ）とを連結するひも部材（３５）を押し上げるための部材であって、横棹部材（４１）の上方にこれに平行して設置される。連結棒（４３ａ）は、直線状の棒状部材であって、その両端部は腕部（４３ｂ）にそれぞれ取り付けられており、ひも部材（３５）の下部を挿通している。
【００６９】
腕部（４３ｂ）は、連結棒（４３ａ）を引き上げるための部材であって、平面視Ｌ字形の棒状部材である。腕部（４３ｂ）は、ハンガー枠体（４２）において相対する二箇所に回動可能に軸支されている。尚、例えば、ハンガー枠体（４２）に設けられた孔部（４２ａ）に腕部（４３ｂ）の端部を挿し入れる構造にする等して、ストッパー解除体（４３）をハンガー枠体（４２）に対して着脱自在な構造とすることもできる。このような構造にすることによって、横棹部材（４１）に設置する洗濯挟み（１）及び洗濯挟み用ストッパー（３）の個数を適宜調節することができる。
【００７０】
また、ストッパー解除体（４３）は、横棹部材（４１）の数に合わせて適宜設置することができる。特に、図示するように、複数のストッパー解除体（４３）を設ける場合には、それぞれのストッパー解除体（４３）を構成する連結棒（４３ａ）又は腕部（４３ｂ）を連動棒（４３ｃ）によって連結すると、洗濯挟み用ストッパー（３）による洗濯挟み（１）に対するロック状態を一斉に解除するのに好適である。即ち、連動棒（４３ｃ）は、直線状の棒状部材であって、連結棒（４３ａ）又は腕部（４３ｂ）に対して回動可能なように取り付けられている。
【００７１】
吊下部材（４４）は、洗濯物用ハンガー（４）を洗濯物用棒状部材（Ｘ）に吊り下げるための部材であって、フック部（４４ａ）と、第一の掛け輪（４４ｂ）と、第二の掛け輪（４４ｃ）とからなる。フック部（４４ａ）は、洗濯物用棒状部材（Ｘ）に取り付くための鉤状の部位であり、第一の掛け輪（４４ｂ）及び第二の掛け輪（４４ｃ）は連結部材（４５）を係止するためのリング状の部位である。
【００７２】
連結部材（４５）は、吊下部材（４４）とハンガー枠体（４２）とを連結するための長尺部材であって、例えば各種のひも部材やチェーン部材を用いることができ、複数備えられている。横棹部材（４１）の上方にこれに平行して備えられている連結部材（４５）は、長尺部材（４５ａ）の吊下部材（４４）側の一端にフック（４５ｂ）が取り付けられており、第一の掛け輪（４４ｂ）及び第二の掛け輪（４４ｃ）に対して着脱自在に構成されている。
【００７３】
以上が、本発明の一実施形態に係る洗濯物用ハンガーの構造についての説明である。次に、本発明の一実施形態に係る洗濯物用ハンガーの使用態様について添付図面に基づいて説明する。
【００７４】
図２０に図示するように、使用者が連結棒（４３ａ）を引き上げると、ひも部材（３５）が引き上げられることによって、把持部（３３）が回動して洗濯挟み用ストッパー（３）が回動し、開口部（３１ｂ）から横棹部材（４１）を脱出させることによって、複数の洗濯挟み用ストッパー（３）を横棹部材（４１）から一斉に取り外すことができる。
【００７５】
そして、使用者は、フック（４５ｂ）を第一の掛け輪（４４ｂ）から取り外して第二の掛け輪（４４ｃ）に取り付けて、ハンガー枠体（４２）を一方に傾斜させる。そうすると、洗濯挟み（１）が止着している洗濯物の重み等によって横棹部材（４１）に対して傾斜し、頸部（１１ｄ，１２ｄ）を介して案内部（１１ｃ，１２ｃ）内へと横棹部材（４１）が滑り込むように摺動することによって、複数の洗濯挟み（１）を横棹部材（４１）から一斉に取り外すことができる。
【符号の説明】
【００７６】
１  洗濯挟み
１１  第一の挟持片
１１ａ  基部
１１ｂ  挟持部
１１ｃ  案内部
１１ｄ  頸部
１１ｅ  止着部
１１ｆ  スプリング挿通孔
１１ｇ  スプリング取付け凹部
１１ｈ  把持部
１２  第二の挟持片
１２ａ  基部
１２ｂ  挟持部
１２ｃ  案内部
１２ｄ  頸部
１２ｅ  止着部
１２ｆ  スプリング挿通孔
１２ｇ  スプリング取付け凹部
１３  回動軸
１４  スプリング
２  洗濯物用棒状部材
２１  棒状本体
２２  挟込凸部
２３  阻害凸部
２４  嵌合凹部
３  洗濯挟み用ストッパー
３１  フック部
３１ａ  嵌合部
３１ｂ  開口部
３２  回動部
３２ａ  嵌合孔
３３  把持部
３４  スプリング
３５  ひも部材
４  洗濯物用ハンガー
４１  横棹部材
４２  ハンガー枠体
４３  ストッパー解除体
４３ａ  連結棒
４３ｂ  腕部
４３ｃ  連動棒
４４  吊下部材
４４ａ  フック部
４４ｂ  第一の掛け輪
４４ｃ  第二の掛け輪
４５  連結部材
４５ａ  長尺部材
４５ｂ  フック
Ｘ  洗濯物用棒状部材
【図１】
2016016236.tif 000003
【図２】
2016016236.tif 000004
【図３】
2016016236.tif 000005
【図４】
2016016236.tif 000006
【図５】
2016016236.tif 000007
【図６】
2016016236.tif 000008
【図７】
2016016236.tif 000009
【図８】
2016016236.tif 000010
【図９】
2016016236.tif 000011
【図１０】
2016016236.tif 000012
【図１１】
2016016236.tif 000013
【図１２】
2016016236.tif 000014
【図１３】
2016016236.tif 000015
【図１４】
2016016236.tif 000016
【図１５】
2016016236.tif 000017
【図１６】
2016016236.tif 000018
【図１７】
2016016236.tif 000019
【図１９】
2016016236.tif 000020
【図２０】
2016016236.tif 000021
【図１８】
2016016236.tif 000022